(57)【要約】【課題】簡単な操作で、画像機器から画像取得を行うことが可能な画像システム及びカメラを提供する。【解決手段】カメラ１０内の通信制御部Ａ１１ａは、撮影された画像が画像推定部１１ｂによって画像機器５０の画像表示部Ｂ６７の画像であると推定される場合には（Ｓ１６→Ｙｅｓ)、カメラ１０と画像機器５０との間で通信処理を行い（Ｓ１７）、この通信処理の中で、画像機器５０に対して画像送信を要求するよう通信部Ａ２８を制御し（Ｓ４３）、画像機器５０の通信制御部５１ａは、カメラ１０からの画像送信の要求に対応して、少なくとも画像機器５０の画像表示部Ｂ６７に表示された画像を含む画像データを、カメラ１０に送信するよう通信部Ｂ６８を制御する（Ｔ６）。【選択図】  図３
2011182371.tif 000002
【特許請求の範囲】
【請求項１】
画像を表示する表示部が設けられた画像機器と、当該画像機器との間で画像データの通信を行うカメラとからなる画像システムにおいて、
上記カメラは、
撮像部と、
上記画像機器と画像データの通信を行う第１の通信部と、
上記第１の通信部を制御する第１の通信制御部と、
上記撮像部によって撮影された画像が上記画像機器の表示部を含む表示部の画像であるかを推定する画像推定部と、
を備え、
上記画像機器は、
上記カメラと画像データの通信を行う第２の通信部と、
上記第２の通信部を制御する第２の通信制御部と、
を備え、
上記第１の通信制御部は、撮影された画像が上記画像推定部によって上記表示部の画像であると推定される場合には、上記画像機器に対して画像送信を要求するよう上記第１の通信部を制御し、
上記第２の通信制御部は、上記カメラからの上記画像送信の要求に対応して、少なくとも上記画像機器の表示部に表示された画像を含む画像データを、上記カメラに送信するよう上記第２の通信部を制御する、
ことを特徴とする画像システム。
【請求項２】
上記画像機器は、上記画像推定部による上記推定を補助するような補助推定部を備えることを特徴とする請求項１に記載の画像システム。
【請求項３】
上記画像機器は、上記補助推定部として、当該画像機器が上記表示部に送信可能な状態で画像を表示させている場合に点灯するような発光部を、上記表示部近傍に設けることを特徴とする請求項２に記載の画像システム。
【請求項４】
上記画像機器は、上記補助推定部として、当該画像機器が上記表示部に送信可能な状態で画像を表示させている場合に、当該画像に二次元コードを重畳させることを特徴とする請求項２に記載の画像システム。
【請求項５】
上記第２の通信制御部は、上記表示部にインデックス画像が表示されている場合には、当該表示されているインデックス画像にかかる全ての画像の画像データを送信するよう第２の通信部を制御することを特徴とする請求項１に記載の画像システム。
【請求項６】
画像を表示する表示部と通信部を有する画像機器との間で画像データの通信を行うカメラにおいて、
撮像部と、
上記画像機器と画像データの通信を行う第１の通信部と、
上記第１の通信部を制御する第１の通信制御部と、
上記撮像部によって撮像された画像が上記画像機器の表示部を含む表示部の画像であるかを推定する画像推定部と、
を備え、
上記第１の通信制御部は、撮影された画像が表示部の画像であると上記画像推定部によって推定される場合には、上記画像機器に対して画像送信を要求するよう上記第１の通信部を制御し、当該画像送信の要求に対応して上記画像機器から送信された少なくとも上記画像機器の表示部に表示された画像を含む画像データを受信することを特徴とするカメラ。
【請求項７】
画像の保存記憶を制御する記録制御部を備え、
上記記録制御部は、撮影された画像に上記画像機器の表示部が含まれていないと上記画像推定部によって推定された場合には上記撮影された画像を保存記録させ、撮影された画像に上記画像機器の表示部が含まれていると上記画像推定部によって推定され、かつ上記画像機器から画像が送信されてきた場合には、上記表示部の画像を保存記録しないで消去することを特徴とする請求項６に記載のカメラ。
【請求項８】
上記画像推定部は、画面に一定サイズ以上の四角形があった場合に、撮影された画像が上記画像機器の表示部を含むと推定することを特徴とする請求項６に記載のカメラ。
【請求項９】
上記画像推定部は、さらに、上記四角形の内部の画像に、一定以上の輝度または色相の変化が認められた場合に、撮影された画像が上記画像機器の表示部を含むと推定することを特徴とする請求項８に記載のカメラ。
【請求項１０】
上記画像推定部は、撮影指示の操作があった場合に、上記撮像部によって撮影された画像が上記画像機器の表示部を含む表示部の画像であるか否かを推定することを特徴とする請求項６に記載のカメラ。
【請求項１１】
上記画像推定部は、ライブビュー表示中に、上記撮像部によって撮影された画像が上記画像機器の表示部を含む表示部の画像であるか否かを推定し、
上記第１の通信制御部は、上記撮影された画像に上記画像機器の表示部が含まれていると上記画像推定部によって推定された後に、撮影指示の操作があった場合に、上記画像機器に上記画像送信を要求する、
ことを特徴とする請求項６に記載のカメラ。
【請求項１２】
上記第１の通信制御部は、上記画像機器に対して現在上記画像機器の表示部に表示中である画像を送信するように要求することを特徴とする請求項６に記載のカメラ。
【請求項１３】
上記画像推定部は、ライブビュー画像を上記撮影された画像として、上記撮影された画像が上記画像機器の表示部を含む画像であるか否かを推定することを特徴とする請求項６に記載のカメラ。
【発明の詳細な説明】
【技術分野】
【０００１】
本発明は、画像システム及びカメラに関し、詳しくは、画像機器の表示部に表示されている画像の画像データの授受が可能な画像システム及びカメラに関する。
【背景技術】
【０００２】
最近のカメラは、外部機器と画像データの送受信を行い、画像データの保存や印刷等に利用するための通信機能を備えているものがある。この通信手段としては、ＵＳＢケーブルで接続して行うことが一般的であるが、最近ではワイヤレス通信も増えてきている。ワイヤレス通信としては、例えば、トランスファージェット（Ｔｒａｎｓｆｅｒｊｅｔ：登録商標）、ＩＲｓｉｍｐｌｅ、ブルートゥース（Ｂｌｕｅｔｏｏｔｈ：登録商標）、無線ＬＡＮ（ＷＩＦＩ）等が知られている。これらのワイヤレス通信は、ケーブル接続の手間が省け、より簡単に通信を行うことができ、これ以外の通信規格も種々の提案がなされている。
【０００３】
一方、この画像送受信機能は、撮影した画像データの保存あるいは印刷等以外にも、カメラ間での画像データの送受信にも利用される。このカメラ間での画像データの送受信を簡単にしたカメラも提案されている。例えば、特許文献１には、２台のカメラの送信部と受信部を突き合わせ、両カメラの表示部が並ぶようにした状態で、通信を開始させると、画像が送信側のカメラから受信側のカメラに移動するようにアニメーション表示を行うようにしたカメラが提案されている。
【０００４】
また、特許文献２には、２台のカメラの送信部と受信部の位置合わせを、撮影画像から相手の受信部の形状を確認し、確認ができた場合に画像データの通信処理を開始するようにしたカメラが提案されている。このカメラによれば、指向性の高い光通信の場合であっても、位置合わせを簡単に行うことができる。
【先行技術文献】
【特許文献】
【０００５】
【特許文献１】特開２００７−２４１６７９号公報
【特許文献１】特開２００８−１９９３０７号公報
【発明の概要】
【発明が解決しようとする課題】
【０００６】
上述したように、カメラ等の画像機器の間で通信の利便性の向上が図られているが、送受信を行う場合には、一方の画像機器を送信モードに設定し、他方の画像機器を受信モードに設定した上で、通信処理開始の指示操作が必要であった。このため、通信設定にあたって、種々の操作が必要となり、手間がかかり不便であった。
【０００７】
本発明は、このような事情を鑑みてなされたものであり、簡単な操作で、画像機器から画像取得を行うことが可能な画像システム及びカメラを提供することを目的とする。
【課題を解決するための手段】
【０００８】
上記目的を達成するため第１の発明に係わる画像システムは、画像を表示する表示部が設けられた画像機器と、当該画像機器との間で画像データの通信を行うカメラとからなる画像システムにおいて、上記カメラは、撮像部と、上記画像機器と画像データの通信を行う第１の通信部と、上記第１の通信部を制御する第１の通信制御部と、上記撮像部によって撮影された画像が上記画像機器の表示部を含む表示部の画像であるかを推定する画像推定部と、を備え、上記画像機器は、上記カメラと画像データの通信を行う第２の通信部と、上記第２の通信部を制御する第２の通信制御部と、を備え、上記第１の通信制御部は、撮影された画像が上記画像推定部によって上記表示部の画像であると推定される場合には、上記画像機器に対して画像送信を要求するよう上記第１の通信部を制御し、上記第２の通信制御部は、上記カメラからの上記画像送信の要求に対応して、少なくとも上記画像機器の表示部に表示された画像を含む画像データを、上記カメラに送信するよう上記第２の通信部を制御する。
【０００９】
第２の発明に係わる画像システムは、上記第１の発明において、上記画像機器は、上記画像推定部による上記推定を補助するような補助推定部を備える。
第３の発明に係わる画像システムは、上記第２の発明において、上記画像機器は、上記補助推定部として、当該画像機器が上記表示部に送信可能な状態で画像を表示させている場合に点灯するような発光部を、上記表示部近傍に設ける。
【００１０】
第４の発明に係わる画像システムは、上記第２の発明において、上記画像機器は、上記補助推定部として、当該画像機器が上記表示部に送信可能な状態で画像を表示させている場合に、当該画像に二次元コードを重畳させる。
第５の発明に係わる画像システムは、上記第１の発明において、上記第２の通信制御部は、上記表示部にインデックス画像が表示されている場合には、当該表示されているインデックス画像にかかる全ての画像の画像データを送信するよう第２の通信部を制御する。
【００１１】
第６の発明に係わるカメラは、画像を表示する表示部と通信部を有する画像機器との間で画像データの通信を行うカメラにおいて、撮像部と、上記画像機器と画像データの通信を行う第１の通信部と、上記第１の通信部を制御する第１の通信制御部と、上記撮像部によって撮像された画像が上記画像機器の表示部を含む表示部の画像であるかを推定する画像推定部と、を備え、上記第１の通信制御部は、撮影された画像が表示部の画像であると上記画像推定部によって推定される場合には、上記画像機器に対して画像送信を要求するよう上記第１の通信部を制御し、当該画像送信の要求に対応して上記画像機器から送信された少なくとも上記画像機器の表示部に表示された画像を含む画像データを受信する。
【００１２】
第７の発明に係わるカメラは、上記第６の発明において、画像の保存記憶を制御する記録制御部を備え、上記記録制御部は、撮影された画像に上記画像機器の表示部が含まれていないと上記画像推定部によって推定された場合には上記撮影された画像を保存記録させ、撮影された画像に上記画像機器の表示部が含まれていると上記画像推定部によって推定され、かつ上記画像機器から画像が送信されてきた場合には、上記表示部の画像を保存記録しないで消去する。
【００１３】
第８の発明に係わるカメラは、上記第６の発明において、上記画像推定部は、画面に一定サイズ以上の四角形があった場合に、撮影された画像が上記画像機器の表示部を含むと推定する。
第９の発明に係わるカメラは、上記第８の発明において、上記画像推定部は、さらに、上記四角形の内部の画像に、一定以上の輝度または色相の変化が認められた場合に、撮影された画像が上記画像機器の表示部を含むと推定する。
第１０の発明に係わるカメラは、上記第６の発明において、上記画像推定部は、撮影指示の操作があった場合に、上記撮像部によって撮影された画像が上記画像機器の表示部を含む表示部の画像であるか否かを推定する。
【００１４】
第１１の発明に係わるカメラは、上記第６の発明において、上記画像推定部は、ライブビュー表示中に、上記撮像部によって撮影された画像が上記画像機器の表示部を含む表示部の画像であるか否かを推定し、上記第１の通信制御部は、上記撮影された画像に上記画像機器の表示部が含まれていると上記画像推定部によって推定された後に、撮影指示の操作があった場合に、上記画像機器に上記画像送信を要求する。
第１２の発明に係わるカメラは、上記第６の発明において、上記第１の通信制御部は、上記画像機器に対して現在上記画像機器の表示部に表示中である画像を送信するように要求する。
第１３の発明に係わるカメラは、上記第６の発明において、上記画像推定部は、ライブビュー画像を上記撮影された画像として、上記撮影された画像が上記画像機器の表示部を含む画像であるか否かを推定する。
【発明の効果】
【００１５】
第１の発明によれば、簡単な操作で、画像機器から画像取得を行うことが可能な画像システムを提供することができる。
第２の発明によれば、相手が実際には、画像機器でない場合や、送信可能な状態でない場合等に、無駄な通信処理を行うことがない。
第３の発明によれば、発光部の点灯の在否を検出することにより、簡単に送信可能であるか否かを判定することができる。
第４の発明によれば、二次元コードの在否を検出することにより、簡単に送信可能であるか否かを判定することができる。
第５の発明によれば、複数の画像をまとめて送信する際に便利である。
【００１６】
第６の発明によれば、簡単な操作で、画像機器から画像取得を行うことが可能なカメラを提供することができる。
第７の発明によれば、送信可能な表示部以外の似たような被写体、例えば、絵画等を撮影した場合には、相手の通信が確立できないことで、通信処理が自動的にキャンセルされ、カメラで撮影された被写体画像が記録される。このため、通常の撮影にあたって、支障がない。
第８の発明によれば、画像機器の表示部を撮影した否かの推定ができる。
【００１７】
第９の発明によれば、画像が表示されていないのっぺりした表示部を撮影する場合には、通常ユーザに通信の意図がなく、たまたまカメラの背面等を撮影した場合なので、このような場合には、通信を行わないようにして、無駄な通信エラーを防止することができる。
第１０の発明によれば、レリーズ操作後は画像が安定していることから、この画像を用いて推定を行うようにしていることから、推定の確度が高まる。
第１１の発明によれば、レリーズ操作という簡易な操作を、通信要求操作に割り当てたので、分かりやすく、かつ通信のための専用操作が不要になる。
第１２の発明によれば、現在、表示されている画像を得ることができるので、いちいち画像の番号を指示する手間が省け、通信手順が簡単になる。
第１３の発明によれば、レリーズ前のライブビュー画像で表示部の有無を推定できるので、レリーズ操作があってから推定する場合に比較し、通信開始までの時間を短縮することができる。
【図面の簡単な説明】
【００１８】
【図１】本発明の一実施形態に係わるカメラの主として電気回路の構成を示すブロック図である。
【図２】本発明の一実施形態に係わるカメラにおいて、画像データの通信を行う様子を示す図であって、（ａ）は２台のカメラ間で画像データの通信が可能な場合を示し、（ｂ）は画像データの通信ができない場合の様子を示す図である。
【図３】本発明の一実施形態に係わるカメラの動作を示すフローチャートである。
【図４】本発明の一実施形態に係わるカメラの「被写体が画像機器の表示部かの判断」の動作を示すフローチャートである。
【図５】本発明の一実施形態に係わるカメラと画像機器の間で、画像データを通信する場合の動作を示すフローチャートである。
【図６】本発明の一実施形態に係わるカメラの動作の第１変形例を示すフローチャートである。
【図７】本発明の一実施形態に係わるカメラの外観の第２および第３変形例を示す外観斜視図である。
【図８】本発明の一実施形態に係わるカメラの「被写体が画像機器の表示部かの判断」の動作の第２変形例を示すフローチャートである。
【図９】本発明の一実施形態に係わるカメラの「被写体が画像機器の表示部かの判断」の動作の第３変形例を示すフローチャートである。
【発明を実施するための形態】
【００１９】
本発明の好ましい一実施形態に係わるカメラは、デジタルカメラであり、大略、撮像部を有し、この撮像部によって被写体像を画像データに変換し、この変換された画像データに基づいて、被写体像を本体の背面に配置した画像表示部にライブビュー表示する。撮影者はライブビュー表示を観察することにより、構図やシャッタチャンスを決定する。レリーズ操作時には、画像データが画像記憶部中の記録媒体に記録される。記録媒体に記録された画像データは、再生モードを選択すると、画像表示部に再生表示することができる。また、カメラと画像機器の間で画像データの送受信を行う場合には、画像機器の画像表示部に画像を表示し、カメラでこの画像を撮像すると、自動的に画像データの送受信を開始する。
【００２０】
以下、図面に従って本発明を適用したカメラ１０とフォトフレーム等の画像機器５０からなる画像システムを用いて好ましい実施形態について説明する。図１は、本発明の一実施形態に係わるカメラ１０と画像機器５０の構成を示すブロック図である。
【００２１】
カメラ１０内の制御部（ＣＰＵ：Central Processing Unit）Ａ１１は、プログラム記憶部Ａ１２に記憶された制御プログラムに従って動作し、カメラ１０の全体制御を行う。制御部Ａ１１内には、通信制御部１１ａ、画像推定部１１ｂ、記録制御部１１ｃが設けられている。制御部Ａ１１内の１１ａ〜１１ｃは、制御プログラムにより実行される処理の一部であるので、特徴的な処理について制御部Ａ１１に含まれる機能部として説明する。
【００２２】
通信制御部Ａ１１ａは、後述する通信部Ａ２８の通信を制御する。通信制御部Ａ１１ａは、撮影された画像が画像機器５０の画像表示部Ｂ６７に表示されている画像であると、画像推定部１１ｂが推定した場合には、画像機器５０に対して画像送信するように、通信部Ａ２８の制御を行う。
【００２３】
画像推定部１１ｂは、撮像部２０によって撮影された画像が画像機器５０の画像表示部Ｂ６７の画像であるか否かの推定を行う。この推定は、後述するように、画面に一定サイズ以上の四角形があるか否か、また、四角形の内部に一定以上の輝度変化があるか否か等の判断に基準に従って行う。また、画像推定部１１ｂは、撮影者が撮影を行うためにレリーズ釦の操作を行った際に、上述した画像の推定を実行する。
【００２４】
記録制御部１１ｃは、画像機器５０から送信されてきた画像データの保存記憶を制御する。具体的には、撮影された画像に画像機器５０の画像表示部Ｂ６７が含まれていないと画像推定部１１ｂによって推定された場合には撮影された画像を画像記憶部Ａ２５に保存記録させ、撮影された画像に画像機器５０の画像表示部Ｂ６７が含まれていると画像推定部１１ｂによって推定され、かつ画像機器５０から画像が送信されてきた場合には、上記表示部の画像を保存記録しないで消去する。
【００２５】
制御部Ａ１１には、プログラム記憶部Ａ１２、操作部Ａ１３、及びバス３１が接続されている。プログラム記憶部Ａ１２には前述したように制御部Ａ１１において実行するプログラムが記憶されており、また各種データも記憶されている。操作部Ａ１３は、ユーザがカメラに指示を与えるための各種操作部材を含み、電源釦、レリーズ釦１３ａ（図２（ａ）参照）、メニュー釦、ＯＫ釦等を有する。
【００２６】
バス３１には、前述の制御部Ａ１１の他に、撮像部２０、ＳＤＲＡＭ−Ａ２１、画像処理部２２、圧縮伸張部２３、表示処理部Ａ２６、通信部Ａ２８が接続されている。撮像部２０は、被写体像を結像させるための撮影レンズ、被写体像を画像データに変換するための撮像素子、及びこれらの処理回路、撮影レンズの光路中に介挿された絞り及びシャッタ等を含む。また、撮影レンズの焦点距離を変化させる焦点距離調整機構を有する。撮像部２０によって生成された画像データはバス３１に出力される。なお、後述するように、画像機器５０の画像表示部Ｂ６７に表示された画像を撮影し、このときの画像データをバス３１に出力する。
【００２７】
ＳＤＲＡＭ（Dynamic Random Access Memory）−Ａ２１は電気的に書き換え可能な揮発性の一時記憶メモリであり、撮像部２０から出力される静止画や動画の画像データ等の一時記憶に用いられる。画像処理部２２は、画像データのデジタル的増幅（デジタルゲイン調整処理）、ホワイトバランス、色補正、ガンマ（γ）補正、コントラスト補正、ライブビュー表示用画像生成、記録用静止画像生成、動画画像生成等の各種の画像処理を行なう。
【００２８】
圧縮伸張部２３はＳＤＲＡＭ−Ａ２１に一時記憶された静止画や動画の画像データをＪＰＥＧやＴＩＦＦ等の圧縮方式により圧縮し、また表示等のために伸張する回路である。なお、画像圧縮はＪＰＥＧやＴＩＦＦに限らず、他の圧縮方式も適用できる。
【００２９】
圧縮伸張部２３に接続された記録再生部２４は、圧縮伸張部２３において圧縮された画像データを画像記憶部Ａ２５に記録し、また、画像記憶部Ａ２５に記録された撮影画像の画像データを読み出す。この読み出された画像データは、圧縮伸張部２３において伸張され、この伸張された画像データに基づいて、画像表示部Ａ２７に画像が再生表示される。画像記憶部Ａ２５は、記録再生部２４に接続されており、デジタルカメラ本体に内蔵、または装填可能な画像データの記録媒体である。
【００３０】
表示処理部Ａ２６は、撮影時にはライブビュー表示を、再生時には再生画像を画像表示部Ａ２７に表示させる。また、操作部Ａ１３のメニュー釦等が操作されると、制御部Ａ１１からの制御命令に基づき、表示処理部Ａ２６はメニュー画面を作成し、画像表示部Ａ２７に表示する。
【００３１】
表示処理部Ａ２６に接続された画像表示部Ａ２７は、カメラ１０の本体の背面等に図２（ａ）に示すように、配置された液晶モニタや有機ＥＬ等のディスプレイを有する。表示処理部Ａ２６の制御によりディスプレイの画面にライブビュー画像、記録済み画像の再生画像、メニュー画面等の所定の画像が表示される。
【００３２】
通信部Ａ２８は、画像機器５０等の外部機器との間で、ワイヤレス通信によって画像データ等の送受信を行う。すなわち、カメラ１０側から画像機器５０側に対して送信要求を行うと、画像機器５０側から画像データを受信する等の通信を行う。
【００３３】
また、画像機器５０は画像を表示部に表示することの可能な外部機器である。画像機器５０内の制御部（ＣＰＵ）Ｂ５１は、プログラム／データ記憶部５２に記憶された制御プログラムに従って動作し、画像機器５０の全体制御を行う。制御部Ｂ５１内には、通信制御部Ｂ５１ａが設けられている。制御部Ｂ５１内の通信制御部Ｂ５１ａは、制御プログラムにより実行される処理の一部であるので、カメラ１０の場合と同様に、特徴的な処理について制御部Ｂ５１に含まれる機能部として説明する。
【００３４】
通信制御部Ｂ５１ａは、外部機器と画像データの通信を行う。具体的には、カメラ１０からの画像送信の要求に対応して、少なくとも画像機器５０の画像表示部Ｂ６７に表示された画像を含む画像データを、カメラ１０に送信するよう通信部Ｂ６８を制御する。
【００３５】
制御部Ｂ５１には、プログラム及びデータ記憶部５２、操作部Ｂ５３、及びバス７１が接続されている。プログラム及びデータ記憶部５２には、カメラ１０の場合と同様に、制御部Ｂ５１において実行するプログラムが記憶されており、また各種データも記憶されている。操作部Ｂ５３は、ユーザが画像機器５０に指示を与えるための各種操作部材を含み、電源釦５３ａ、十字釦５３ｂ（図２（ａ）参照）等を有する。
【００３６】
バス７１には、前述の制御部Ｂ５１の他に、ＳＤＲＡＭ−Ｂ６１、伸張部６３、表示処理部Ｂ６６、通信部Ｂ６８が接続されている。ＳＤＲＡＭ−Ｂ６１は、ＳＤＲＡＭ−Ａ２１と同様、電気的に書き換え可能な揮発性の一時記憶メモリであり、画像表示部Ｂ６７で表示するための画像データやカメラ１０に送信する画像データ等の一時記憶に用いられる。
【００３７】
画像記憶部Ｂ６５は、画像機器５０の本体に内蔵、または装填可能な画像データの記録媒体である。画像記憶部Ｂ６５に接続された再生部６４は、画像記憶部Ｂ６５に記憶された撮影画像の画像データを読み出す。再生部６４に接続された伸張部６３は、読み出された画像データの伸張を行う。
【００３８】
表示処理部Ｂ６６は、画像記憶部Ｂ６５から読み出され、伸張部６３によって伸張処理が行われた画像データを画像表示部Ｂ６７に表示するための画像処理を行う。また、操作部Ｂ５３のメニュー釦等が操作されると、制御部Ｂ５１からの制御命令に基づき、表示処理部Ｂ６６はメニュー画面を作成し、画像表示部Ｂ６７に表示する。表示処理部Ｂ６６に接続された画像表示部Ｂ６７は、画像機器５０の外装部に、図２（ａ）に示すように、配置された液晶モニタや有機ＥＬ等のディスプレイを有する。
【００３９】
通信部Ｂ６８は、カメラ１０等の外部機器との間で、ワイヤレス通信によって画像データ等の送受信を行う。すなわち、カメラ１０側からの送信要求に対して、画像データの送信を行う。
【００４０】
次に、本実施形態における画像データの通信のやり方について、図２を用いて説明する。ここでは、カメラ等の画像機器５０の画像表示部Ｂ６７に表示されている画像の画像データを、通信部Ａ２８および通信部Ｂ６８を介して、画像機器５０からカメラ１０に送信する。
【００４１】
まず、ユーザはカメラ１０および画像機器５０のメニュー画面において、それぞれ「簡単通信」モードを設定しておく。そして、カメラ１０にライブビュー表示を行わせた状態で、撮影レンズを画像機器５０の画像表示部Ｂ６７に向け、画像表示部Ｂ６７に表示されている画像が一定以上のサイズになるように調整する。ここで、画像のサイズとしては、画像表示部Ｂ６７の四角の枠辺の１辺が、撮影画面の１辺の１／２以上あることが望ましい。
【００４２】
画像表示部Ｂ６７に表示されている画像の位置調整を行うと、次に、レリーズ釦１３ａの全押し操作を行う。カメラ１０は簡単通信モードに設定されていることから、撮像部２０で取り込んだ画像データに基づいて、被写体像が画像機器５０の画像表示部Ｂ６７に表示されている画像であるか否かを画像推定部１１ｂによって判定する。この判定の結果、画像表示部Ｂ６７に表示されている画像であれば、カメラ１０から画像機器５０に対して、表示中の画像データの送信を要求し、その画像データを受信し記録する。なお、レリーズ釦１３ａの全押し操作がなされるが、この場合には、画像機器５０から、画像データを受信し記録できることから、撮像部２０で取得した画像データの記録は行わない。
【００４３】
また、四角形の枠の中に画像が表示されている場合であっても、例えば、図２（ｂ）に示されるように、壁に飾られた絵画８０を、カメラ１０が画像として取り込んだ場合には、簡単通信モードに設定したとしても、相手が絵画であるから当然に画像データを受信することができない。このような場合には、カメラ１０からの通信要求に対して、返信されないことから、相手が対応する画像装置でないと判断し画像データの送信要求を中止し、撮像部２０で取得した画像データの記録を行う。
【００４４】
次に、図２を用いて説明した画像データの通信を実行するための処理を、図３ないし図５に示すフローチャートを用いて説明する。なお、図２において説明した画像データの通信を行う場合には、図３に示す撮影モードのフローチャートを実行する前に、ユーザはメニュー画面によって「簡単通信」モードを設定しておくものとする。また、画像機器５０では、画像記憶部Ｂ６５に記録されている画像の中でカメラ１０で受信したい画像を画像表示部Ｂ６７に再生表示しているものとする。
【００４５】
撮影モードに入ると、まず、ライブビュー撮影および表示を行う（Ｓ１１）。ここでは、撮像部２０によって画像データを取得し、この画像データを表示処理部Ａ２６によって処理した後に、画像表示部Ａ２７にライブビュー表示する。撮影者は画像表示部Ａ２７にライブビュー表示される画像を観察することにより、構図やシャッタタイミングを決定することができる。また、「簡単通信」モードが設定されている場合には、画像データを取得したい画像が一定サイズ以上の大きさとなるような構図に撮影者はカメラ１０を構える。
【００４６】
ライブビュー撮影・表示を行うと、次に、レリーズ操作がなされたか否かの判定を行う（Ｓ１２）。ここでは、操作部Ａ１３のレリーズ釦１３ａの全押し操作がなされたか否かを検出し、全押し操作がなされた場合にレリーズ操作ありと判定する。この判定の結果、レリーズ操作が行われていなかった場合には、ステップＳ１１に戻る。
【００４７】
ステップＳ１２における判定の結果、レリーズ操作が行われた場合には、次に、画像取り込みを行う（Ｓ１３）。ここでは、撮像部２０から画像データを取り込み、ＳＤＲＡＭ−Ａ２１に一時記憶する。続いて、予め「簡単通信」モードが設定されているか否かの判定を行う（Ｓ１４）。前述したように、ユーザは図２を用いて説明した画像データの通信を望む場合には、カメラ１０のメニュー画面において、「簡単通信」モードを設定している。このステップでは、「簡単通信」モードが設定されているか否かを判定する。
【００４８】
ステップＳ１４における判定の結果、「簡単通信」モードが設定されていた場合には、次に、取り込まれた画像の被写体が画像機器の表示部か否かの判断を行う（Ｓ１５）。ここでは、画像機器５０の画像表示部Ｂ６７を撮像しているか否かを、所定の条件に従って判断する。この判断の詳細については、図４を用いて後述する。
【００４９】
被写体が画像機器の表示部かの判断を行うと、次に、この判断に従い被写体が画像機器の表示部であるかの判定を行う（Ｓ１６）。ここでは、ステップＳ１５における判断の結果に基づいて判定する。この判定の結果、被写体が画像機器の表示部であった場合には、次に、通信処理を行う（Ｓ１７）。カメラ１０が画像機器５０の画像表示部Ｂ６７の画像を撮像している状態であることから、このステップでは、画像機器５０に対して画像表示部Ｂ６７に表示している画像の画像データを送信するように要求し、画像データを取得する。この通信処理の詳しいフローについては、図５を用いて後述する。
【００５０】
一方、ステップＳ１４における判定の結果、「簡単通信」モードが設定されていなかった場合、またはステップＳ１６における判定の結果、被写体が画像機器の表示部ではなかった場合には、撮影画像の記録を行う（Ｓ１８）。この状態は、簡単通信モードによる画像データの取得をユーザが望んでいないか、または取り込んだ被写体画像が画像機器５０の表示部の画像でない場合である。そこで、撮像部２０から取得し、ＳＤＲＡＭ−Ａ２１に一時記憶された画像データを画像処理部２２において処理し、圧縮伸張部２３において圧縮した後、この画像データを画像記憶部Ａ２５に記録する。
【００５１】
ステップＳ１７における通信処理を行うと、またはステップＳ１８における撮影画像の記録を行うと、次に、電源オフ操作がなされたか否かを判定する（Ｓ１９）。ここでは、操作部Ａ１３の電源釦が操作されたか否かを判定する。この判定の結果、電源オフ操作がなされていなかった場合には、ステップＳ１１に戻る。一方、電源オフ操作がなされた場合には、撮影モードのオフ処理を行ってからフローを終了する。
【００５２】
次に、ステップＳ１５における被写体が画像機器の表示部かの判断のフローを、図４に示すフローチャートを用いて説明する。この判断フローに入ると、まず、画面に四角形が有るか否かの判定を行う（Ｓ３２）。ここでは、画像推定部１１ｂが撮像部２０からの画像データに基づいて、四角形が描かれているか否かの画像解析を行う。この場合、四角形としては、長方形に限らず、台形やひし形等でもよく、４辺からなる形状であればよい。撮像部２０によって取得した画像は、撮影位置等により、四角形が歪むことがあるからである。
【００５３】
ステップＳ３２における判定の結果、画面に四角形があった場合には、次に、四角形は一定以上のサイズであるか否かを判定する（Ｓ３３）。ここでは、ステップＳ３２において判定された四角形のサイズが一定以上か、例えば、四角形の１辺が画面の１辺の１／２以上あれば、一定以上のサイズと判定する。これ以外にも、例えば、四角形の面積を算出し、この面積が一定以上（例えば、画面面積の１／４以上）であるか否かを判定してもよい。四角形のサイズが小さい場合には、ユーザが意図しない画像である可能性があることから、この判定を行っている。
【００５４】
ステップＳ３３における判定の結果、四角形が一定サイズ以上であった場合には、次に、四角形の中で輝度の変化があるか否かの判定を行う（Ｓ３４）。例えば、窓ガラスを撮像している場合には、一定サイズ以上の四角形を誤って画像機器の表示部と判断してしまうおそれがあることから、この判定を行っている。画像機器で表示される画像には画像内に輝度変化が有るのに対して、窓ガラスのような場合には四角の枠内に輝度変化がない。従って、ここでの輝度変化としては、通常の画像と言える程度の変化があればよい。また、画像であるかの判断は、輝度変化ではなく色相変化で行ってもよいし、輝度と色相を組み合わせてもよい。
【００５５】
ステップＳ３４における判定の結果、四角形の中に輝度変化があった場合には、被写体が画像機器の表示部と推定する（Ｓ３４）。一方、ステップＳ３２〜Ｓ３４における判定の結果、いずれかの判定において、Ｎｏであった場合には、被写体が画像機器の表示部でないと判断する（Ｓ３５）。ステップＳ３４における推定、またはステップＳ３５における判断結果を、一時記憶しておき、前述のステップＳ１６における判定の際に使用する。一時記憶すると、元のフローに戻る。
【００５６】
次に、ステップＳ１７における通信処理のフローについて、図５に示すフローチャートを用いて説明する。通信は、カメラ１０と画像機器５０との間で行われることから、図５に示すフローの左側にはカメラ１０における処理（ステップＳ４１〜Ｓ５０）を示し、またフローの右側には画像機器５０における処理（ステップＴ１〜Ｔ１０）を示す。なお、前述したように、画像機器５０は再生モードに設定され、画像表示部Ｂ６７には画像が表示されているものとする。
【００５７】
カメラ１０において、通信処理のフローを開始すると、まず、通信確認を行う（Ｓ４１）。ここでは、カメラ１０の通信部Ａ２８から、画像機器５０の通信部Ｂ６８に対して、ハンドシェーク用の確認信号を送信する。画像機器５０は、再生モード中に割り込み処理によって、確認信号を受信したか否かの判定を行う（Ｔ１）。確認信号を受信しない場合には、再生モードのままであるが、確認信号を受信すると、通信モードに切り替わり、確認信号の返信を行う（Ｔ２）。ここでは、画像機器５０の通信部Ｂ６８から、カメラ１０に確認信号の返信を行う。
【００５８】
カメラ１０は、ステップＳ４１において画像機器５０に対して確認信号を送信すると、次に、所定時間内に確認信号の返信を受信したか否かの判定を行う（Ｓ４２）。前述したように、画像機器５０は確認信号を受信すると、確認信号の返信を行うことから（Ｔ２）、このステップＳ４２ではこの返信を受信した否かを判定する。
【００５９】
ステップＳ４２における判定の結果、所定時間内に確認信号の返信を受信できなかった場合には、通信不可と判断する（Ｓ４４）。一方、確認信号の返信を受信した場合には、通信環境が確立された判断して、カメラ１０から画像機器５０に画像送信要求を送信する（Ｓ４３）。
【００６０】
画像機器５０では、ステップＴ２において確認信号の返信を行うと、次に、画像機器５０が「簡単通信」に設定されているか否かの判定を行う（Ｔ３）。前述したように、ユーザは画像データの通信を望む場合には、画像機器５０のメニュー画面において、予め「簡単通信」モードに設定されるので、このステップでは、「簡単通信」モードが設定されているか否かを判定する。
【００６１】
ステップＴ３における判定の結果、「簡単通信」モードが設定されていなかった場合には、不許可信号を、通信部Ｂ６８を通じてカメラ１０に送信する（Ｔ４）。一方、判定の結果、「簡単通信」モードが設定されていた場合には、送信許可信号を、通信部Ｂ６８を通じてカメラ１０に送信する（Ｔ５）。
【００６２】
カメラ１０は、ステップＳ４３において画像送信要求を送信すると、次に、画像機器５０から、送信されてくる信号が不許可信号か否かの判定を行う（Ｓ４５）。この判定の結果、画像機器５０から送信されてきた信号が不許可信号の場合には、またはステップＳ４４において通信不可と判断すると、その旨の表示を行う（Ｓ４６）。ここでは、カメラ１０の画像表示部Ａ２７に、簡単通信による画像データの受信が不可であることを、文字、記号、アイコン等によって表示する。この表示を行うと、元のフローに戻る。
【００６３】
画像機器５０は、ステップＴ５において送信許可信号を送信すると、次に、送信用画像データを読出し、送信する（Ｔ６）。ここでは、画像表示部Ｂ６７に現在表示されている画像の画像データをＳＤＲＡＭ−Ｂ６１から読み出し、この画像データを通信部Ｂ６８からカメラ１０に送信する。
【００６４】
画像データの送信を開始すると、次に、送信が完了したかを判定し（Ｔ７）、送信完了でなければ、ステップＴ６に戻る。ステップＴにおける判定の結果、送信が完了すると、送信終了信号を、カメラ１０に送信し（Ｔ８）、送信完了の表示を画像表示部Ｂ６７に行う（Ｔ９）。
【００６５】
カメラ１０は、ステップＳ４５において許可信号を受信すると、次に、画像機器５０からの送信用画像データを受信し（Ｓ４７）、受信完了かを判定する（Ｓ４８）。ここで、画像機器５０からの送信終了信号を受信した場合に、受信完了と判定する。ステップＳ４８における判定の結果、受信完了でなかった場合には、ステップＳ４７に戻り、受信を続行する。
【００６６】
一方、ステップＳ４８における判定の結果、受信完了であった場合には、次に、受信画像の記録を行うと共に、完了表示を行う（Ｓ４９）。すなわち、ステップＳ４７において受信した画像機器５０からの画像データを画像記憶部Ａ２５に記録する。また、画像表示部Ａ２７に画像データの受信が完了したことを、文字、記号、またはアイコン等により表示する。
【００６７】
受信画像の記録と、受信完了表示を行うと、次に、撮影画像の消去を行う（Ｓ５０）。レリーズ操作時に画像の取り込みを行い、ＳＤＲＡＭ−Ａ２１に一時記憶しているが（Ｓ１３）、この取り込んだ画像は不要になるのでその消去を行う。「簡単通信」モードでは、画像機器５０に表示されている画像の画像データを取得するためのモードであり、ステップＳ４９において、画像データを取得できたことから、レリーズ操作時の画像データを消去している。
【００６８】
ステップＳ５０において撮影画像の消去を行うと、またはステップＳ４６において、簡単通信による画像データの受信が不可であることを表示すると、カメラ１０は通信処理のサブルーチンを終了して、元のフローに戻る。
【００６９】
画像機器５０は、ステップＴ９において、送信完了表示を行うと、またはステップＴ４において不許可信号を送信すると、次に、電源オフ操作がなされたか否かの判定を行う（Ｔ１０）。ここでは、画像機器５０の操作部Ｂ５３の電源釦の操作状態に基づいて判定する。この判定の結果、電源オフ操作がなされていなかった場合には、ステップＴ１に戻る。一方、電源オフ操作がなされていた場合には、画像機器５０は通信モードの処理を終了し、再生モードを再開する。
【００７０】
以上、説明したように、本発明の一実施形態においては、カメラ１０内の通信制御部Ａ１１ａは、撮影された画像が画像推定部１１ｂによって画像機器５０の画像表示部Ｂ６７の画像であると推定される場合には（Ｓ１６→Ｙｅｓ)、画像機器５０に対して画像送信を要求するよう通信部Ａ２８を制御し（Ｓ４３）、画像機器５０の通信制御部５１ａは、カメラ１０からの画像送信の要求に対応して、少なくとも画像機器５０の画像表示部Ｂ６７に表示された画像を含む画像データを、カメラ１０に送信するよう通信部Ｂ６８を制御する（Ｔ６）。このため、本発明の一実施形態においては、カメラ１０を画像機器５０の画像表示部Ｂ６７に向けるだけという簡単な操作で、画像機器から画像取得を行うことができる。
【００７１】
なお、本発明の一実施形態においては、画像表示部Ｂ６７に１つの画像が表示されている場合に説明したが、画像表示部Ｂ６７に複数の画像（インデックス画像）を表示するようにしてもよい。インデックス画像が表示されている場合には、このインデックス画像にかかる全ての画像の画像データを送信するように通信制御部Ｂ５１ａが通信部Ｂ６８を制御すればよい。
【００７２】
次に、本発明の一実施形態の第１の変形例について図６を用いて説明する。この第１の変形例は、図３に示した撮影モードのフローの変形例である。本発明の一実施形態においては、レリーズ操作がなされた後に、被写体が画像機器の表示部か否かの判定を行っていたが、第１の変形例においては、ライブビュー表示を行っている際に、併せてこの判定も行うようにしている。
【００７３】
本変形例に係わる撮影モードのフローに入ると、まず、ステップＳ１１と同様に、ライブビュー撮影とライブビュー表示を行う（Ｓ６１）。ここでは、撮像部２０によって画像データを取得し、この画像データを表示処理部Ａ２６によって処理した後に、画像表示部Ａ２７にライブビュー表示する。
【００７４】
ライブビュー表示を行うと、続いて、ステップＳ１３と同様に、画像取り込みを行い（Ｓ６２）、ステップＳ１５と同様に、被写体が画像機器の表示部か否かの判定を行う（Ｓ６３）。これらのステップＳ６２およびＳ６３における処理は、本発明の一実施形態においては、レリーズ操作後に行っていたが、本変形例においては、ライブビュー表示中に行う。被写体が画像機器の表示部か否かの判定は、前述した図４におけるフローに沿って行われる。なお、ステップＳ６２における画像取り込みは、ステップＳ６３における判断にあたって使用するが、ライブビュー表示用に取得した画像を用いるようにし、ステップＳ６２を省略してもよい。
【００７５】
ステップＳ６３における判断を行うと、次に、ステップＳ１２と同様にレリーズ操作がなされたか否かの判定を行う（Ｓ６４）。この判定の結果、レリーズ操作がなされていなかった場合には、ステップＳ６１に戻り、前述の動作を実行する。このため、本変形例においては、繰り返し、被写体が画像機器の表示部か否かの判定を繰り返し行う。
【００７６】
ステップＳ６４における判定の結果、レリーズ操作がなされた場合には、次に、ステップＳ１４と同様に、予め「簡単通信」が設定されていたか否かの判定を行う（Ｓ６５）。この判定の結果、「簡単通信」が設定されていた場合には、次に、ステップＳ１６と同様に、被写体が画像機器の表示部であるか否かの判定を行う（Ｓ６６）。前述したように、ライブビュー表示中に繰り返し、この判断を行っているので（Ｓ６３参照）、レリーズ操作直前の判断結果を用いて、この判定を行う。
【００７７】
ステップＳ６６における判定の結果、被写体が画像機器の表示部であった場合には、次に、ステップＳ１７と同様に通信処理を行う（Ｓ６７）。ここでの処理は前述した図５におけるフローに沿って行われ、画像機器５０に対して、画像表示部Ｂ６７に表示中の画像データの送信を要求し、送信があった場合には、この画像データを画像記憶部Ａ２５に記録する。
【００７８】
一方、ステップＳ６５における判定の結果、「簡単通信」が設定されていなかった場合、またはステップＳ６６における判定の結果、被写体が画像機器の表示部でなかった場合には、ステップＳ１８と同様に、撮影画像の記録を行う（Ｓ６８）。ここでは、レリーズ操作時（ステップＳ６４）に画像取り込みされた画像データを画像処理部２２によって画像処理し、さらに圧縮伸張部２３によって圧縮処理を行った後、画像記憶部Ａ２５に記録する。
【００７９】
ステップＳ６７における通信処理を行うと、またはステップＳ６８における撮影画像の記録を行うと、次に、ステップＳ１９と同様に電源オフ操作がなされたか否かの判定を行う（Ｓ６９）。この判定の結果、電源オフ操作がなされていなかった場合には、ステップＳ６１に戻る。一方、電源オフ操作がなされた場合には、撮影モードのオフ処理を行ってからフローを終了する。
【００８０】
このように、本発明の一実施形態の第１の変形例においては、ステップＳ６４におけるレリーズ操作がなされたと判定される前のライブビュー表示中に、被写体が画像機器５０の画像表示部Ｂ６７の画像か否かの判断を行うようにしている（Ｓ６３）。ライブビュー表示中に処理の負荷が多くなるが、レリーズ操作時に迅速に画像機器５０から画像データを取得することができる。
【００８１】
次に、本発明の一実施形態の第２および第３の変形例において使用する画像機器５０について、図７を用いて説明する。本変形例に係わる画像機器５０の画像表示部Ｂ６７の近傍には、補助推定部としての発光部６７ａが配置されている。この発光部６７ａは、発光ダイオード等の点灯可能な素子を含み、カメラ１０の画像推定部１１ｂが画像機器５０の画像表示部Ｂ６７による画像であるか否かを判定する際の補助推定手段としての機能を果たす。この発光部６７ａは、画像機器５０が画像表示部Ｂ６７に送信可能な状態で画像を表示させている場合に点灯する。
【００８２】
また、本変形例に係わる画像機器５０の画像表示部Ｂ６７の画面には、補助推定部として機能するＱＲコード（登録商標）６７ｂが表示可能である。ここで、ＱＲコードは、マトリックス型二次元コードであり、白と黒の格子状のパターンで情報を表わす。表示処理部Ｂ６６は、画像機器５０が画像表示部Ｂ６７に送信可能な状態で画像を表示させている場合に、この画像にＱＲコードを重畳させて表示する。なお、本変形例においてはＱＲコードを表示するが、ＱＲコードに限らず、一次元のバーコードや、ＱＲコード以外の二次元コード等、他の規格の識別用コードであっても勿論かまわない。
【００８３】
次に、本発明の一実施形態の第２の変形例の動作について、図８に示すフローチャートを用いて説明する。第２の変形例においては、画像機器５０の画像表示部Ｂ６７の近傍に配置された発光部６７ａの点灯を用いて、被写体が画像機器の表示部であるか否かを判定する。本変形例においては、本発明の一実施形態の図４に示すフローチャートを図８のフローチャートに置き換える。
【００８４】
図８に示す被写体が画像機器の表示部かの判断のフローに入ると、画面で、四角形の近傍に輝点があるか否かの判定を行う（Ｓ３０）。前述したように、画像機器５０が画像表示部Ｂ６７に送信可能な状態で画像を表示させている場合に、発光部６７ａが点灯する。そこで、カメラ１０の撮像部２０によって取得した画像データを分析し、四角形の近傍に発光部６７ａの点灯による輝点が有るか否かを判定する。
【００８５】
ステップＳ３０における判定の結果、画面で四角形の近傍に輝点が有った場合には、次に、ステップＳ３２以下の処理を行うが、これらの処理は、図４に示したフローチャートと同一であることから、詳しい説明は省略する。また、ステップＳ３０における判定の結果、画面で四角形の近傍に輝点がなかった場合には、ステップＳ３６に進むが、この処理も図４に示したフローチャートと同一であることから、詳しい説明は省略する。
【００８６】
このように、本発明の一実施形態の第２の変形例では、補助推定部として、画像機器５０が画像表示部Ｂ６７に送信可能な状態で画像を表示させている場合に点灯するような発光部６７ａを、画像表示部Ｂ６７の近傍に設けるようにしている。このため、カメラ１０の撮像部２０によって撮影された画像が画像機器５０の画像表示部Ｂを含む表示部の画像であるかを容易に推定することができ、確実性が向上する。
【００８７】
なお、図７を用いて第２の変形例のカメラ１０を説明したが、図７におけるＱＲコード６７ｂの表示は必要ではないので省略してもよい。また、発光部６７ａは、図７には、１箇所しか配置してなかったが、２か所以上でもよく、また、他の表示用の発光部を兼用するようにしても勿論かまわない。
【００８８】
次に、本発明の一実施形態の第３の変形例の動作について、図９に示すフローチャートを用いて説明する。第３の変形例においては、画像機器５０の画像表示部Ｂ６７に、画像に重畳された二次元コードを用いて、被写体が画像機器の表示部であるか否かを判定する。本変形例においては、本発明の一実施形態の図４に示すフローチャートを図９のフローチャートに置き換える。
【００８９】
被写体が画像機器の表示部かの判断のための図９に示すフローに入ると、画面にＱＲコードが有るか否かの判定を行う（Ｓ３１）。前述したように、画像機器５０が画像表示部Ｂ６７に送信可能な状態で画像を表示させている場合に、この画像にＱＲコード６７ｂを重畳させて表示する。そこで、カメラ１０の撮像部２０によって取得した画像データを分析し、画像中にＱＲコード６７ｂが存在しているか否かを判定する。
【００９０】
ステップＳ３１における判定の結果、画面にＱＲコード６７ｂが有った場合には、次に、ステップＳ３２以下の処理を行うが、これらの処理は、図８の場合と同様、図４に示したフローチャートと同一であることから、詳しい説明は省略する。また、ステップＳ３０における判定の結果、ＱＲコードがなかった場合には、ステップＳ３６に進むが、この処理も図４に示したフローチャートと同一であることから、詳しい説明は省略する。
【００９１】
このように、本発明の一実施形態の第３の変形例では、補助推定部として、画像機器５０が送信可能な状態で画像を表示させている場合に、この画像に二次元コードを重畳させている。このため、カメラ１０の撮像部２０によって撮影された画像が画像機器５０の画像表示部Ｂを含む表示部の画像であるかを容易に推定することができ、確実性が向上する。
【００９２】
なお、図７を用いて第３の変形例のカメラ１０を説明したが、図７における発光部６７ａは必要ではないので省略してもよい。また、ＱＲコード６７ｂは、図７には、１箇所しか表示していないが、２か所以上でもよく、また、その位置も左隅以外の位置でも勿論かまわない。
【００９３】
以上説明したように、本発明の一実施形態やその変形例においては、通信制御部Ａ１１ａは、撮影された画像が画像推定部１１ｂによって画像表示部Ｂ６７の画像であると推定される場合には、画像機器５０に対して画像送信を要求するよう通信部Ａ２８を制御し、通信制御部Ｂ５１ａは、カメラ１０からの画像送信の要求に対応して、少なくとも画像機器５０の画像表示部Ｂ６７に表示された画像の画像データを、カメラ１０に送信するよう通信部Ｂ６８を制御するようにしている。このため、簡単な操作で、画像機器から画像取得を行うことが可能となる。特に、送信機器と受信を行うカメラの間で、通信モードという普段見慣れないモードに設定する必要がなく、表示された画像を撮影するという操作だけで、対応する画像を簡単に受信できるので、初心者でも、手軽に機器間での画像データの通信を行うことができる。また、カメラ間であれば、受信側のカメラが撮影モードで、送信側のカメラが再生モードに設定しておけばよいので、初心者のユーザでも、モード設定に途惑うことがない。このように本発明に一実施形態やその変形例においては、「欲しい画像を撮影する」という自然な所作で、画像データが受信されるので、操作に手間取る心配も少ない。
【００９４】
なお、本発明の一実施形態や変形例においては、簡単通信モードを設定するようにしていたが、簡単通信モードがデフォルトモードとしておき、特段、ユーザが設定しなくても自動的に簡単通信モードが設定されているようにしてもよい。また、被写体が画像機器の表示部か否かの判断を行うにあたって使用する判断条件は、図４、図８、図９に示した条件の全てを使用しなくてもよく、他の条件と組み合わせても構わない。
【００９５】
また、本発明の一実施形態や変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。また、画像機器５０としてフォトフレームを例に挙げたが、これに限らず、カメラや携帯電話等、表示部を有する機器でも勿論かまわない。
【００９６】
本発明は、上記実施形態や変形例にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００９７】
１０・・・カメラ、１１・・・制御部Ａ（ＣＰＵ）、１１ａ・・・表示制御部Ａ、１１ｂ・・・画像推定部、１１ｃ・・・記録制御部、１２・・・プログラム記憶部Ａ、１３・・・操作部Ａ、１３ａ・・・レリーズ釦、２０・・・撮像部、２１・・・ＳＤＲＡＭ−Ａ、２２・・・画像処理部、２３・・・圧縮伸張部、２４・・・記録再生部、２５・・・画像記憶部Ａ、２６・・・表示処理部Ａ、２７・・・画像表示部Ａ、２８・・・通信部Ａ、３１・・・バス、５０・・・画像機器、５１・・・制御部Ｂ（ＣＰＵ）、５１ａ・・・通信制御部Ｂ、５２・・・プログラム／データ記憶部、５３・・・操作部Ｂ、５３ａ・・・電源釦、５３ａ・・・十字釦、６１・・・ＳＤＲＡＭ−Ｂ、６３・・・伸張部、６４・・・再生部、６５・・・画像記憶部Ｂ、６６・・・表示処理部Ｂ、６７・・・画像表示部Ｂ、６７ａ・・・発光部、６７ｂ・・・ＱＲコード、６８・・・通信部Ｂ、７１・・・バス、８０・・・絵画
【図１】
2011182371.tif 000003
【図２】
2011182371.tif 000004
【図３】
2011182371.tif 000005
【図４】
2011182371.tif 000006
【図５】
2011182371.tif 000007
【図６】
2011182371.tif 000008
【図７】
2011182371.tif 000009
【図８】
2011182371.tif 000010
【図９】
2011182371.tif 000011